(57)【要約】【解決手段】  ベル装置１はベル本体部２とケース３に設けられた方位磁石４とから構成され、ベル本体部２は自転車のハンドルなどに取り付けられるベル取付手段５と、貫通孔６ａの穿設された音響ワン部６と、上記音響ワン部６の貫通孔６ａを貫通して先端が上記ベル取付手段５に連結されるとともに後端に頭部２１ａの形成されたピン２１と、音響ワン部６を鳴らす打撃機構７とを備えている。  上記ケース３の底部３ｂには貫通孔３ｃが穿設され、上記貫通孔３ｃに上記ピン２１の軸部２１ｂが貫通し、かつ上記底部３ｂが上記音響ワン部６とピン２１の頭部２１ａとの間で挟持される構成となっている。【効果】  構成が容易で、また器具の脱落を可及的に防止することが可能である。【選択図】  図３
2009166522.tif 000002
【特許請求の範囲】
【請求項１】
自転車のハンドルなどに取り付けられるベル取付手段と、貫通孔の穿設された音響ワン部と、上記音響ワン部の貫通孔を貫通して先端が上記ベル取付手段に連結されるとともに後端に頭部の形成されたピンと、上記ベル取付手段に設けられて上記音響ワン部を鳴らす打撃機構とを備えたベル装置において、
貫通孔の穿設された底部を有するケースと、該ケースに設けられた方位磁石、気圧計、高度計、温度計、電球、ＬＥＤ又は鏡などの器具とを備え、上記貫通孔に上記ピンの軸部が貫通し、かつ上記底部が上記音響ワン部とピンの頭部との間で挟持されることを特徴とするベル装置。
【請求項２】
上記ケースにおける底部の音響ワン部側か、上記音響ワン部におけるケース側のいずれかに突起を設け、該突起を介して音響ワン部とケースとが接触することを特徴とする請求項１に記載のベル装置。
【請求項３】
上記ケースは有底筒状に形成され、また上記器具はそれ自体のハウジングを備え、上記ハウジングが上記有底筒状のケース内に収容されていることを特徴とする請求項１または請求項２のいずれかに記載のベル装置。
【請求項４】
上記有底筒状のケースに上記器具のハウジングが収容されると、該ハウジングの側面の大部分はケースより外部に露出しないことを特徴とする請求項３に記載のベル装置。
【請求項５】
上記各種類の器具はそれぞれほぼ同一寸法からなるハウジングを備え、上記有底筒状のケースにはいずれか一種の器具が収容されていることを特徴とする請求項３または請求項４のいずれかに記載のベル装置。
【請求項６】
ベル取付手段と音響ワン部との間に弾性部材を備え、該弾性部材は音響ワン部を介してケースを上記ピンの頭部側に付勢することを特徴とする請求項１ないし請求項５のいずれかに記載のベル装置。
【請求項７】
音響ワン部とケースとの間に弾性部材を備え、該弾性部材は音響ワン部をベル取付手段側に、ケースを上記ピンの頭部側にそれぞれ付勢することを特徴とする請求項１ないし請求項５のいずれかに記載のベル装置。
【請求項８】
上記器具はスイッチを備えた電子器具であって、該スイッチを上記ピンの頭部に対向する位置に設け、
上記ピンの頭部は、ケースが弾性部材の付勢力に抗して移動された際に底部の表面より突出して、上記スイッチを操作することを特徴とする請求項６または請求項７のいずれかに記載のベル装置。
【発明の詳細な説明】
【技術分野】
【０００１】
本発明はベル装置に関し、詳しくは自転車等に用いて好適なベル装置に関する。
【背景技術】
【０００２】
従来、自転車のハンドルなどにベル装置が装着されており、このベル装置の中には音響ワン部の上部に鏡面状体などの器具を装着して、ベル装置本来の機能に異なる機能をもたせたベル装置が知られている（特許文献１）。
また他のベル装置として、自転車のハンドルなどに取り付けられるベル取付手段と、貫通孔の穿設された音響ワン部と、上記音響ワン部の貫通孔を貫通して先端が上記ベル取付手段に連結されるとともに後端に頭部の形成されたピンと、上記ベル取付手段に設けられて上記音響ワン部を鳴らす打撃機構とを備えたものも知られている（特許文献２）。
【特許文献１】特開２００６−１１７１２７号公報
【特許文献２】特開２００６−１３１１４２号公報
【発明の開示】
【発明が解決しようとする課題】
【０００３】
しかしながら、上記特許文献１のベル装置の場合、鏡面状体の基部が音響ワン部を保持する支持軸にビスを介して固定されていることから、鏡面状体を固定するための構成が複雑であり、また鏡面状体を回転させるとビスが緩んで脱落してしまうおそれがあった。
以上のことから、方位磁石などの器具を有するベル装置であって、構成が簡易で、かつ上記器具の脱落等を可及的に防止することの可能なベル装置を提供するものである。
【課題を解決するための手段】
【０００４】
すなわち、本発明にかかるベル装置は、自転車のハンドルなどに取り付けられるベル取付手段と、貫通孔の穿設された音響ワン部と、上記音響ワン部の貫通孔を貫通して先端が上記ベル取付手段に連結されるとともに後端に頭部の形成されたピンと、上記ベル取付手段に設けられて上記音響ワン部を鳴らす打撃機構とを備えたベル装置において、
貫通孔の穿設された底部を有するケースと、該ケースに設けられた方位磁石、気圧計、高度計、温度計、電球、ＬＥＤ又は鏡などの器具とを備え、上記貫通孔に上記ピンの軸部が貫通し、かつ上記底部が上記音響ワン部とピンの頭部との間で挟持されることを特徴としている。
【発明の効果】
【０００５】
上記発明によれば、方位磁石などの器具を備えたベル装置を得ることができるとともに、該器具を保持するケースの底部を音響ワン部とピンの頭部との間に挟持していることから、ベル装置に器具を保持するためのビス等が不要であり、構成が簡易となっている。
また、ケースの底部はピンによって保持されているため、ケースを回転させても脱落することは無く、器具の脱落等を可及的に防止することができる。
【発明を実施するための最良の形態】
【０００６】
以下図示実施例について本発明を説明すると、図１〜図３はそれぞれベル装置１の側面図、平面図、断面図を示し、該ベル装置１は図示しない自転車などのハンドルに取付けられるようになっている。
このベル装置１は、警告音を発するベル本体部２と、その上部に設けられるケース３と、該ケース３に収納される器具としての方位磁石４とから構成され、ベル本体部２の上部に方位磁石４を備えることで、ベル装置１本来の機能のほか、方位を確認することが可能となっている。
上記ベル本体部２は上記ハンドルに固定されるベル取付手段５と、このベル取付手段５に設けられた音響ワン部６と、上記ベル取付手段５に設けられて上記音響ワン部６を鳴らす打撃機構７とから構成されている。
【０００７】
上記ベル取付手段５は、上記音響ワン部６を保持する基部１１と、該基部１１に連結されるとともにハンドルを囲繞するバンド１２と、上記基部１１の中央部から図示上方に伸びる中空の支持軸１３と、基部１１の上方に設けられるとともに上記支持軸１３に対して回転可能に設けられた円盤部１４とを備えている。
上記基部１１の上面は円形に形成され、その中央に上記支持軸１３が形成されるとともに、該支持軸１３の周囲には少なくとも一つの突起１１ａが形成されている。また基部１１の下面には下方に向けて貫通穴１１ｂが形成され、この貫通穴１１ｂには図示しないナットが埋設されている。
上記バンド１２は基部１１の下面から図示右方に向けて突出するとともに上記ハンドルを囲繞してその端部が基部１１の下方にまで達するように形成され、その先端部には図示しないボルトを挿通可能な貫通穴１２ａが形成されている。そして上記ボルトを上記基部１１に埋設したナットに螺合させて締め付けることにより、基部１１を上記ハンドルに固定することができるようになっている。
上記円盤部１４の中央には上記支持軸１３の貫通する貫通穴が形成され、その下面が上記基部１１の上面に密着した状態で設けられている。
また円盤部１４の上面には上記打撃機構７の下記板ばね部材３１が設けられるとともに、円盤部１４の図示右方には上記打撃機構７の下記打撃部材３２を揺動可能に保持する取付部１４ａが形成されている。
円盤部１４の下面には支持軸１３を囲繞するように所定の間隔で凹部１４ｂが形成され、この凹部１４ｂは基部１１に形成された上記突起１１ａと係合することにより、基部１１と円盤部１４とが相互に回転するのを阻止するようになっている。
【０００８】
上記音響ワン部６は金属製で有底筒状を有しており、上記ベル取付手段５の支持軸１３にピン２１によって保持されるとともに、上記円盤部１４の上面に設けられた板ばね部材３１と音響ワン部６との間には、上記支持軸１３を囲繞するように弾性部材としてのばね部材２２が弾装されている。
音響ワン部６は開口部側が下方を向くとともに上方に位置する底部の中央には円形の貫通孔６ａが形成されている。またその外径は上記円盤部１４の外径と略同径となっている。
上記ピン２１は円盤状の頭部２１ａと、この頭部２１ａの下面中央から下方に伸びる円柱状の軸部２１ｂとを備え、上記軸部２１ｂは音響ワン部６の貫通孔６ａよりも若干細く、その大部分はベル取付手段５の支持軸１３に圧入されている。
上記ばね部材２２は上記板ばね部材３１と音響ワン部６とを相互に離隔する方向に付勢して音響ワン部６を図示上方に押圧するようになっており、これにより音響ワン部６と上記支持軸１３との間には若干の隙間が形成されている。換言すると、音響ワン部６をばね部材２２の付勢力に抗して若干押し下げることが可能となっている。
また上記円盤部１４を水平に回転させると、基部１１に形成された突起１１ａと円盤部１４の凹部１４ｂとの係合が解除され、円盤部１４はばね部材２２の付勢力に抗して持ち上がり、その後隣接する凹部１４ｂと突起１１ａとが係合すると、再び円盤部１４が基部１１に密着するようになっている。
このように、上記突起１１ａの設けられる間隔に応じて上記円盤部１４を基部１１に対して回転させることができ、これにより上記取付部１４ａに保持された打撃部材３２の位置を基部１１の外周に沿って自由に移動させることが可能となっている。
なお、支持軸１３の先端と音響ワン部６との間にばね部材２２を設けてもよく、また上記ばね部材２２を音響ワン部６とケース３との間に弾装しても良い。この場合、ばね部材２２は音響ワン部６を上記支持軸１３側に付勢し、ケース３をピン２１の頭部２１ａ側に付勢することとなる。
さらに、上記ばね部材２２を弾性を有するゴムやスポンジ等とすることも可能である。
【０００９】
上記打撃機構７は、上記ベル取付手段５の円盤部１４の上面に設けられた板ばね部材３１と、上記円盤部１４の取付部１４ａに揺動可能に保持された打撃部材３２とから構成されている。
上記板ばね部材３１は上記支持軸１３が貫通する貫通穴を備えるとともに、上記円盤部１４に設けられた２枚の取付部１４ａの間に設けられた断面コ字形部３１ａを備え、該断面コ字形部３１ａの先端は上記打撃部材３２の下端に係合している。
打撃部材３２の側面には記取付部１４ａに形成された突起１４ｃに係合する係合穴を備え、上部には波型の操作部３２ａと、音響ワン部６側に形成された突起３２ｂとを備えている。
上記操作部３２ａを操作すると、打撃部材３２は上記突起１４ｃを中心に回転し、これにより板ばね部材３１の断面コ字形部３１ａが変形する。この状態から操作部３２ａを放すと、断面コ字形部３１ａがもとの形状に復帰して、上記突起３２ｂが音響ワン部６に衝突し、音響ワン部６から警告音が発生するようになっている。
【００１０】
上記ケース３は樹脂製で、筒状の側部３ａとその底面に形成された底部３ｂとから構成され、このケース３の内部に上記方位磁石４が挿入されて接着固定されている。
上記ケース３の側部３ａはその外径が上記音響ワン部６と略同径となっており、その内径は方位磁石４の外径と略同径となっている。またケース３の側部３ａの高さは方位磁石４の側面の高さと略同一となっている。
ケース３の底部３ｂの中央には円形で上記ピン２１の軸部２１ｂよりも若干大径の貫通孔３ｃが形成され、上記貫通孔３ｃには上記ピン２１の軸部２１ｂが貫通し、ケース３はこの軸部２１ｂに対して回転自在となっている。
また底部３ｂの上面には貫通孔３ｃを囲繞するように上記ピン２１の頭部２１ａを収容する段差形状３ｄが形成され、この段差形状３ｄは上記頭部２１ａの高さと同じか又は若干深く形成されている。
さらに、底部３ｂの下面には貫通孔３ｃを囲繞するように環状突起３ｅが形成され、音響ワン部６とケース３との接触面積を少なくして音響ワン部６より発せられる警告音の音色が損なわれないようになっている。
なお、上記環状突起３ｅを音響ワン部６に形成しても良い。また環状突起３ｅに限らず、例えば貫通孔３ｃを囲繞するように少なくとも３つの突起を設けるような構成であってもよい。
【００１１】
上記方位磁石４は、上記ケース３に収容されたハウジング４１と、該ハウジング４１内部に設けられた磁力を有する円盤４２とから構成されている。
上記ハウジング４１は有底筒状の下側キャップ４１ａと、透明な上側キャップ４１ｂとから構成され、これら下側キャップ４１ａと上側キャップ４１ｂとは液密に固定され、内部には液体が封入されている。
ハウジング４１の側面の外径は上記ケース３の側部３ａの内周面と同径となっており、またその高さは側部３ａの高さと略同一となっている。そして下側キャップ４１ａの底面と上記ケース３の底部３ｂとは両面テープなどによって相互に接着固定されている。
上記円盤４２にはその磁極に基づいてＮ、Ｓ，Ｅ，Ｗ等の文字が記載されており、下側キャップ４１ａの中央に設けられた突起４１ｃによって回転可能に保持されている。
円盤４２はその磁極によって方位を指し示すようになっており、このとき円盤４２はハウジング４１内部の液体によってゆっくりと回転するようになっている。
【００１２】
以上のような構成を有するベル装置１によれば、ベル本体部２の上部にケース３を介して方位磁石４を保持することができるので、ベル装置１の本来の機能以外に方位を確認することが可能となる。
また、音響ワン部６およびケース３に貫通孔６ａ、３ｃを形成し、該貫通孔６ａ、３ｃにピン２１の軸部２１ｂを貫通させてその先端を基部１１に設けられた支持軸１３に圧入するだけでよいので、構成が簡易であり組み立ても容易となっている。
さらに、音響ワン部６およびケース３の貫通孔６ａ、３ｃにピン２１を貫通させる構成であるため、音響ワン部６およびケース３を基部１１に対して自在に回転させることが可能であり、特にケース３をベル本体部２からねじり取ることはできないため、方位磁石４が盗難されにくい構造となっている。
さらに、ケース３は音響ワン部６を介してばね部材２２によって上方に付勢され、かつケース３の貫通孔３ｃはピン２１の軸部２１ｂよりも大径であることから、ケース３にさまざまな方向から力が付与されたとしても、ケース３は基部１１に対して揺動し、上記力は上記ばね部材２２によって吸収されるので、破損しにくい構成となっている。
そして、ケース３の側部３ａの高さは上記ハウジング４１の外周の高さと略同一となっているので、ハウジング４１の側面がほとんど外部に露出せず、ケース３の内部に挿入固定された方位磁石４を容易に取り外すことはできないので、方位磁石４の盗難を防止することができる。
なお、上記ケース３の内部には、上記ハウジング４１の大きさが同じであれば方位磁石４以外の器具を装着することが可能となっており、多種のベル装置１を容易に製造することが可能となっている。
上記器具としては、例えば気圧計、高度計、温度計、鏡などを設けることが考えられる。
【００１３】
図４は方位磁石４のケース３への保持方法について上記実施例とは異なる方法を示したものである。上記実施例ではケース３と方位磁石４とを接着により固定しているが、ここでは方位磁石４を両面テープ等を用いずに保持するものとなっている。
図４（ａ）、（ｂ）のそれぞれにおいて、ケース３に保持される方位磁石４は図３に示した方位磁石４と同一の物であり、この方位磁石４のハウジング４１の側面には環状に凹部４１ｄが形成されている。
具体的に説明すると、ハウジング４１の上側キャップ４１ｂにはケース３の内周面と同径の大径部４１ｅと、上記下側キャップ４１ａに嵌合する小径部４１ｆとから構成されている。
そして、上側キャップ４１ｂを下側キャップ４１ａに装着した際に、大径部４１ｅの下端部と下側キャップ４１ａとの間に上記凹部４１ｄが形成されるようになっている。
【００１４】
図４（ａ）に示すベル装置１のケース３は、その側部３ａの内周面に楔形突起３ｆを複数備え、この楔形突起３ｆは上方が傾斜するとともに下端部が水平に形成されている。
この楔形突起３ｆの下方にはケース３の底部３ｂに逃がし穴３ｇが形成されており、この逃がし穴３ｇにはケース３を樹脂成形する際に楔形突起３ｆの負角部分を形成するための金型が挿入されるものとなっている。
このような構成により、ケース３の上方から方位磁石４を挿入すると、ハウジング４１の下側キャップ４１ａが楔形突起３ｆを乗越え、下側キャップ４１ａの上面と楔形突起３ｆの下端部とが相互に係合するようになっている。
これにより、方位磁石４が上方に移動するのが阻止され、方位磁石４の脱落が防止される。
【００１５】
次に、図４（ｂ）に示すベル装置１のケース３は、その側部３ａの内周面に環状に連続する環状突起３ｈが形成されており、この環状突起３ｈは断面が略円形となっている。
環状突起３ｈは断面が略円形となっているため、ケース３を樹脂成形した際に無理矢理ケース３と金型とを離型させることができ、上記楔形突起３ｆを形成する場合に比べて金型の構成が容易となる。
このような構成により、ケース３の上方から方位磁石４を挿入すると、ハウジング４１の下側キャップ４１ａが環状突起３ｈを乗越えて、該環状突起３ｈが上記凹部４１ｄに係合する。
これにより、方位磁石４が上方に移動するのが阻止され、方位磁石４の脱落が防止される。
【００１６】
さらに、図５は上記器具として電子器具としてのライト５１を備えたベル装置１の断面図を示している。なお、音響ワン部６より下方に位置するベル本体部２の構成は上記第１実施例におけるベル装置１と同様であるので、詳細な説明は省略する。
本実施例のケース３は上記ピン２１の頭部２１ａと音響ワン部６との間に挟持される板状の底部３ｂだけで構成され、このケース３の上面に上記ライト５１が設けられている。
上記底部３ｂには上記実施例と同様、中央に穿設されたに貫通孔３ｃと、該貫通孔３ｃを囲繞するように形成された段差形状３ｄと、底部３ｂの底面に形成されて音響ワン部に接触する環状突起３ｅとを備えている。
上記ピン２１の頭部２１ａはこの段差形状３ｄに収納されるようになっており、本実施例の段差形状３ｄは、ケース３を下方に向けて押圧し、ばね部材２２の付勢力に抗してケース３を下方に移動させると、ピン２１の頭部２１ａが底部３ｂの上面より上部に突出するような寸法に形成されている。
【００１７】
上記ライト５１は、内部が密閉されたハウジング５２と、該ハウジング５２内部に設けられた基板５３と、基板５３の上面に設けられた電池５４と、該電池５４の上面に設けられたＬＥＤ５５とから構成されている。
上記ハウジング５２の側面の外周面は上記音響ワン部６と略同径に製造されており、上記ケース３の上面に固定される有底筒状の下側キャップ５２ａと、該下側キャップ５２ａの上部にゴムシール５６を介して螺着される透明な上側キャップ５２ｂとから構成され、雨水等の進入が防止されている。
上記下側キャップ５２ａの底面には上記ケース３の外周を囲繞するように環状のリブ５２ｃが形成されており、下側キャップ５２ａの底面とケース３の上面とは両面テープなどによって相互に接着固定されている。
また、下側キャップ５２ａは可撓性を有する素材で製造されており、上記ハウジング５２ごとケース３をばね部材２２の付勢力に抗して下方に移動させて、ピン２１の頭部２１ａが底部３ｂの上面より上部に突出すると、この頭部２１ａによって押圧されて上方に変形するようになっている。
【００１８】
上記基板５３の底面には圧力によって操作可能な図示しないスイッチが設けられており、このスイッチは上記ピン２１の頭部２１ａに対向する位置に設けられている。
このため、ピン２１の頭部２１ａが底部３ｂの上面より上部に突出して下側キャップ５２ａが変形すると、これによりスイッチが操作されるようになっている。
そしてこのスイッチが操作されると、電池５４から電力がＬＥＤ５５に供給されてＬＥＤ５５が発光し、再びスイッチを操作するとＬＥＤ５５が消灯するようになっている。
【００１９】
以上の構成を有するベル装置１によれば、ハウジング５２を上方から押圧すると、ケース３の底部３ｂよりピン２１の頭部２１ａが突出するので、上記基板５３のスイッチが操作されてＬＥＤ５５の発光または消灯をさせることが可能となっている。
また上記ケース３はピン２１によってベル本体部２に回転可能に保持され、またばね部材２２によって音響ワン部６と頭部２１ａとの間に挟持されていることから、構成が容易であり、ライト５１をベル本体部２からねじり取ることができず、破損しにくい構成となっている。
なお、上記ケース３の底部３ｂと、ハウジング５２の下側キャップ５２ａとを一体的に形成し、これに貫通孔を形成して上記ピン２１の頭部２１ａと音響ワン部とで挟持する構成としても良い。
また、上記電子器具として、ＬＥＤ５５の代わりにスピーカー等を設けて、上記スイッチの操作によって音を発生させることなども考えられる。
【図面の簡単な説明】
【００２０】
【図１】本実施例にかかるベル装置１の側面図。
【図２】上記ベル装置１にかかる平面図。
【図３】上記ベル装置１にかかる断面図。
【図４】ケース３および方位磁石４の固定方法について示す断面図を示し、（ａ）はケース３に楔形突起３ｆが形成されているものを、（ｂ）はケース３に環状突起３ｈが形成されているものを示す。
【図５】第２の実施例にかかるベル装置１の断面図。
【符号の説明】
【００２１】
１  ベル装置                    ２  ベル本体部
３  ケース                      ３ｃ  貫通孔
４  方位磁石                    ６  音響ワン部
６ａ  貫通孔                    ７  打撃機構  
２１  ピン                      ２１ａ  頭部
２１ｂ  軸部                    ５１  ライト
【図１】
2009166522.tif 000003
【図２】
2009166522.tif 000004
【図３】
2009166522.tif 000005
【図４】
2009166522.tif 000006
【図５】
2009166522.tif 000007